(57)【要約】【課題】多少大きなごみが搬送されてきても、硬貨選別機構が機能しなくなることはなく、また、トラブルが発生しても容易に対処できるようにする。【解決手段】硬貨Ｃを主に水平方向に搬送して回収する硬貨回収機構１０と、硬貨回収機構１０が回収している硬貨Ｃを横臥状態の１枚づつに分離して均す硬貨均しローラ２０と、硬貨回収機構１０の下流側延長線方向に横臥した１００円硬貨は落下するが横臥した５００円硬貨は落下しない大きさの落下穴５１と、横臥した５００円硬貨も落下し得る落下穴５２を列設して硬貨の選別を行う硬貨選別機構５０と、硬貨回収機構１０により搬送された硬貨に横向きの力を作用させて硬貨Ｃを硬貨選別機構５０の落下穴５２の位置まで搬送する硬貨搬送機構４０と、硬貨選別機構５０の落下穴５１、５２に上部開口が臨む硬貨案内シュート６０Ａ、６０Ｂと、硬貨案内シュート６０Ａ、６０Ｂによって案内された硬貨を収納する金庫とを備えるようにした硬貨回収選別機構。【選択図】　　　　図１
2004021535.tif 000002
【特許請求の範囲】
【請求項１】
硬貨を主に水平方向に搬送して回収する硬貨回収機構と、硬貨回収機構によって回収されている硬貨を横臥状態の１枚づつに分離して均す硬貨均し機構と、硬貨回収機構の下流側延長線方向に複数の落下穴を拡径しながら列設して小径の硬貨から順次落下させて硬貨の直径差によって硬貨の選別を行う硬貨選別機構と、硬貨回収機構により搬送された硬貨に横向きの力を作用させて硬貨を硬貨選別機構の最大径の落下穴位置まで搬送する硬貨搬送機構と、硬貨選別機構の落下穴に上部開口が臨んで設置された硬貨案内シュートと、硬貨案内シュートによって案内された硬貨を収納する金庫とを備えて構成されることを特徴とする硬貨回収選別機構。
【請求項２】
落下穴に向けて搬送されている硬貨数と、落下穴を通過した硬貨数との差から当該落下穴に落下した硬貨の個数を算出する硬貨数検出手段が設けられたことを特徴とする請求項１記載の硬貨回収選別機構。
【請求項３】
硬貨の上下方向の遊びを規制する硬貨案内手段が設けられたことを特徴とする請求項１または２記載の硬貨回収選別機構。
【請求項４】
硬貨を下方に押し付ける機能が硬貨搬送機構に設けられたことを特徴とする請求項１〜３何れかに記載の硬貨回収選別機構。
【請求項５】
硬貨選別機構が下り傾斜に設けられたことを特徴とする請求項１〜４何れかに記載の硬貨回収選別機構。
【発明の詳細な説明】
【０００１】
【発明の属する技術分野】
本発明は、例えばパチンコ設備などに設置される台間玉貸し機から投入される硬貨を回収するための装置に関するものである。
【０００２】
【従来の技術】
この種の装置としては、例えば図５に示したように遊技機Ａに並設した台間玉貸し機Ｂから投入された硬貨Ｃを水平方向に搬送する図示しない平ベルトなどからなる硬貨回収機構１０により回収し、島端に設置した金庫Ｄに収納している。
【０００３】
なお、硬貨回収機構１０の下流部には、例えば図６に示したように、急傾斜に設けた狭い硬貨通路５３Ｘに、横幅が１００円硬貨の直径よりは大きく、５００円硬貨の直径よりは小さい落下穴５１を備えて構成される硬貨選別機構５０が設けられ、その硬貨選別機構５０により選別された、すなわち落下穴５１に落下した１００円硬貨と、落下穴５１に落下することなく通過した５００円硬貨がそれぞれ図示しない案内シュートにより専用の金庫に案内され、別々に収納されるように構成されている。
【０００４】
【発明が解決しようとする課題】
しかし、従来の硬貨選別機構は狭い硬貨通路に設けられていたため、遊技ホールを新たにオープンするときや、遊技台を入れ替えて改装オープンするときには、遊技台などの設置工事で硬貨回収機構に木屑、釘などが入ると、それらが硬貨選別機構の狭い通路に搬送され、通路が詰まると云った問題点があった。
【０００５】
そのため、工事終了後、半日以上も硬貨回収機構を運転して硬貨回収路上のごみを取り除く操作が行われているが、そのような準備をした後でも、直径１ｃｍ程度のごみが一つでも硬貨回収路上に残っており、営業中にそのごみが硬貨選別機構に搬送されると、硬貨選別機構を詰まらせ、硬貨の回収ができなくなり、硬貨による遊技の受付を断わらなければならないと云った問題点があった。
【０００６】
また、急傾斜に設けた狭い硬貨通路に硬貨を落下させて選別する硬貨の選別方法は、水平方向の所要寸法が小さくなる利点はあるが、硬貨の搬送通路がごみで詰まるなどの搬送トラブルが生じると、横方向の寸法的余裕のない部位に設置されていることが多いため、修理するのが難しいと云った問題点もあった。
【０００７】
そのため、硬貨回収機構から多少大きなごみが搬送されてきても、硬貨選別機構が機能しなくなることはなく、また、万一トラブルが発生しても容易に対処できるようにする必要があり、その解決が課題となっていた。
【０００８】
【課題を解決するための手段】
本発明は、上記従来技術の課題を解決するため、硬貨を主に水平方向に搬送して回収する硬貨回収機構と、硬貨回収機構によって回収されている硬貨を横臥状態の１枚づつに分離して均す硬貨均し機構と、硬貨回収機構の下流側延長線方向に複数の落下穴を拡径しながら列設して小径の硬貨から順次落下させて硬貨の直径差によって硬貨の選別を行う硬貨選別機構と、硬貨回収機構により搬送された硬貨に横向きの力を作用させて硬貨を硬貨選別機構の最大径の落下穴位置まで搬送する硬貨搬送機構と、硬貨選別機構の落下穴に上部開口が臨んで設置された硬貨案内シュートと、硬貨案内シュートによって案内された硬貨を収納する金庫とを備えて構成するようにした第１の構成の硬貨回収選別装置と、
【０００９】
前記第１の構成の硬貨回収選別装置において、落下穴に向けて搬送されている硬貨数と、落下穴を通過した硬貨数との差から当該落下穴に落下した硬貨の個数を算出する硬貨数検出手段を備えるようにした第２の構成の硬貨回収選別装置と、
【００１０】
前記第１または第２の構成の硬貨回収選別装置において、硬貨の上下方向の遊びを規制する硬貨案内手段を備えるようにした第３の構成の硬貨回収選別装置と、
【００１１】
前記第１〜第３何れかの構成の硬貨回収選別装置において、硬貨を下方に押し付ける機能を硬貨搬送機構が備えるようにした第４の構成の硬貨回収選別装置と、
【００１２】
前記第１〜第４何れかの構成の硬貨回収選別装置において、硬貨選別機構を下り傾斜に設けるようにした第５の構成の硬貨回収選別装置と、
を提供するものである。
【００１３】
【発明の実施の形態】
以下、本発明の一実施形態を図１〜図４に基づいて詳細に説明する。なお、理解を容易にするため、これらの図においても前記図５、図６において説明した部分と同様の機能を有する部分には、同一の符号を付した。
【００１４】
図１〜図４に示したように、本発明の硬貨回収選別装置１００は、台間玉貸し機より供給された硬貨Ｃを水平方向に搬送して回収する硬貨回収機構１０と、その下流部分に設置された硬貨均しローラ２０と、その下流側に設置された左右一対の硬貨案内手段３０と、上流部分が左右一対の硬貨案内手段３０に挟まれて硬貨Ｃの搬送方向に延設された硬貨搬送機構４０と、その下方で、また硬貨回収機構１０の下流側に設置された硬貨選別機構５０と、硬貨選別機構５０の下方に設置された硬貨案内シュート６０Ａ、６０Ｂとを備えている。
【００１５】
硬貨回収機構１０は、図示しない電動モータによって駆動される駆動プーリと、従動プーリ１１と、それらの間に掛け渡され、駆動プーリの回転によって矢印の向きに回転される無端の搬送平ベルト１２とを備えて構成されている。
【００１６】
なお、搬送平ベルト１２による硬貨搬送路、すなわち搬送平ベルト１２の硬貨搬送面が上方に向いている部分の終端側は僅かに、例えば２度程度の下り傾斜に設けられている。
【００１７】
硬貨均しローラ２０は、硬貨回収機構１０の従動プーリ１１との間に掛け渡された動力伝達ベルト２１を介して従動プーリ１１により駆動力が与えられて矢印の向きに回転するものであり、搬送平ベルト１２による硬貨搬送路の終端の少し上流側に、搬送平ベルト１２とは硬貨回収選別装置１００によって回収し選別する硬貨Ｃの厚さよりは離間し、硬貨Ｃの２枚分の厚さよりは接近して、例えば搬送平ベルト１２とは１．５ｍｍだけ離間して設置されている。
【００１８】
したがって、搬送平ベルト１２によって硬貨Ｃが２枚以上重なりあって搬送されてきても、また硬貨Ｃが起立状態で搬送されてくることがあっても、横臥した１枚の硬貨Ｃ以外は硬貨均しローラ２０によって上流側に跳ね飛ばされ、硬貨均しローラ２０の下流側には硬貨Ｃは横臥した１枚づつの状態で搬送される。
【００１９】
硬貨選別機構５０は、横臥した１００円硬貨は落下するが、横臥した５００円硬貨は落下しない、例えば幅２３ｍｍ、長さ４０ｍｍの落下穴５１が上流部分に開口し、その落下穴５１の下流側に横臥した５００円硬貨も落下し得る、例えば幅２８ｍｍ、長さ４０ｍｍの落下穴５２が中央部分に開口している搬送路５３の両側に、コインＣが横方向にずれて落下するのを防止する落下防止壁５４Ａ、５４Ｂが立設されたＵ字溝状部材からなり、搬送平ベルト１２による硬貨搬送路の終端部に臨んで、搬送平ベルト１２による硬貨搬送路と略同一高さ（接続部比較で）、略同一下り傾斜に設置されている。
【００２０】
硬貨搬送機構４０は、駆動プーリ４１と、従動プーリ４２と、それらに掛け渡された無端の搬送ベルト４３と、その無端の搬送ベルト４３の中間部を下方に押圧している押圧プーリ４４とを備えて構成されている。なお、駆動プーリ４１の回転力は、硬貨回収機構１０の従動プーリ１１から複数、この場合は４個の動力伝達ギヤを介して与えられる構成となっている。
【００２１】
また、落下穴５１、５２が開口している硬貨選別機構５０の搬送路５３との離間距離が、硬貨回収選別装置１００によって回収し選別する硬貨Ｃの厚さより接近して、例えば１．５ｍｍの間隔に調節されてあり、さらに押圧プーリ４４がバネ４５によって硬貨選別機構５０側に付勢されているので、硬貨Ｃが１００円硬貨であっても５００円硬貨であっても、搬送ベルト４３により落下穴５２が中央部に開口している搬送路５３に硬貨Ｃが押し付けられ、矢印の向きの搬送力を硬貨Ｃに上方から付与することができるように構成されている。
【００２２】
また、硬貨搬送機構４０には搬送路５３を通過している硬貨Ｃの個数を検出するための、例えば受発光部を一体化した光反射型の上流側硬貨検出手段４７Ａ、４７Ｂと、下流側硬貨検出手段４８Ａ、４８Ｂと、これらの硬貨検出手段が検出したデータに基づいて落下穴５１に落下した１００円硬貨の個数と、落下穴５２に落下した５００円硬貨の個数を求める図示しない制御部とが設けられている。
【００２３】
すなわち、上流側硬貨検出手段４７Ａ、４７Ｂは落下穴５１より上流側の搬送路５３の左右に設置され、下流側硬貨検出手段４８Ａ、４８Ｂは落下穴５１より下流側の搬送路５３の左右に設置され、図示しない制御部は上流側硬貨検出手段４７Ａ、４７Ｂの少なくとも一方が検出した硬貨Ｃの個数と、下流側硬貨検出手段４８Ａ、４８Ｂの少なくとも一方が検出した硬貨Ｃの個数との差から落下穴５１に落下した１００円硬貨の個数を求め、且つ、下流側硬貨検出手段４８Ａ、４８Ｂの少なくとも一方が検出した硬貨Ｃの個数を落下穴５２に落下した５００円硬貨の個数として出力するように構成されている。
【００２４】
なお、このように構成される硬貨搬送機構４０は、駆動プーリ４１の回転軸４６を回転の中心として、従動プーリ４２側が上方に回動可能に構成されている。したがって、万一搬送トラブル・計数トラブルなどが発生したときには、従動プーリ４２側を上方に回動すれば、硬貨搬送機構４０、硬貨選別機構５０の要部の観察が容易となるので、修理・調節などを行う上で好都合である。
【００２５】
また、左右一対の硬貨案内手段３０も、搬送平ベルト１２との離間距離が２．５ｍｍに調節されて、硬貨搬送機構４０の搬送ベルト４３の両側に設置されている。したがって、硬貨案内手段３０の上流側の硬貨均しローラ２０により横臥状態の１枚づつに分離された硬貨Ｃは、硬貨案内手段３０が設置されている部分、すなわち硬貨搬送機構４０に至る部分で重なったり、起立することはない。
【００２６】
また、硬貨選別機構５０の落下穴５１の下方には硬貨案内シュート６０Ａが設けられ、落下穴５２の下方には硬貨案内シュート６０Ｂが設けられ、さらに硬貨案内シュート６０Ａ、６０Ｂによって案内される硬貨Ｃを収納するための図示しない二つの金庫が設けられている。
【００２７】
したがって、上記構成の硬貨回収選別装置１００によれば、図示しない金庫に硬貨Ｃを案内する案内シュート６０Ａの上部が臨んで設置される落下穴５１、案内シュート６０Ｂの上部が臨んで設置される落下穴５２は硬貨Ｃの搬送路５３に大きく開口しているので、新装オープン、改装オープンなどするときの工事などで釘、木屑などが硬貨Ｃを回収して搬送する硬貨回収機構１０の搬送平ベルト１２により搬送されてきても、それらは大きく開口した落下穴５１、５２から太い案内シュート６０Ａ、６０Ｂに入るので、硬貨Ｃの通路が詰まると云った不都合が生じることはない（金庫にはそれらのごみが硬貨Ｃと共に搬送されるが、ごみは後で選別して捨てれば良く、硬貨通路が詰まって硬貨による遊技の受付を停止しなければならないと云った大事に至ることはない）。
【００２８】
なお、本発明は上記実施形態に限定されるものではないので、特許請求の範囲に記載の趣旨から逸脱しない範囲で各種の変形実施が可能である。
【００２９】
例えば、搬送路５３を通過している硬貨Ｃの個数を検出するための上流側硬貨検出手段４７Ａ、４７Ｂと、下流側硬貨検出手段４８Ａ、４８Ｂは、それぞれ１個のみ設置することも可能である。
【００３０】
また、硬貨Ｃを検出する手段としては、透過型センサを使って検出することも可能である。さらに、アクチュエータを有するスイッチを使って検出することなども可能である。
【００３１】
【発明の効果】
本発明の硬貨回収選別装置においては、硬貨選別機構の落下穴が硬貨搬送路に大きく開口しているので、新装オープン、改装オープンなどするときの工事などで釘、木屑などが硬貨回収機構により搬送されてきても、それらのごみは大きく開口した落下穴に落下して排出され、硬貨通路は詰まり難い。そのため、従来の硬貨回収選別装置のように、硬貨の通路がごみで詰まって硬貨による遊技の受付を一時的に中止しなければならない、と云った不都合は生じ難い。
【００３２】
また、硬貨選別機構の硬貨落下穴を水平方向に列設してあるので、水平寸法が比較的長くなる。そのため、金庫を妻板内に設ける島内金庫としていてトラブルが発生したときにも、そのトラブルに比較的容易に対処することができる。
【００３３】
また、硬貨の上下方向の遊びを規制する硬貨案内手段を設けるようにした硬貨回収選別機構においては、硬貨均し機構により横臥した１枚づつに分離された硬貨が再度重なり合うことが防止できる。
【００３４】
また、硬貨を下方に押し付ける機能を硬貨搬送機構に設けるようにした硬貨回収選別機構においては、硬貨選別機構の所要の硬貨落下穴から硬貨を確実に落下させて金庫に収納することができる。
【００３５】
また、硬貨選別機構を下り傾斜に設けるようにした硬貨回収選別機構においては、硬貨選別機構方向への硬貨の搬送が容易に、且つ、確実に行える。
【図面の簡単な説明】
【図１】本発明の硬貨回収選別装置の一例を示す説明図である。
【図２】図１に示した硬貨回収選別装置の要部を示す側面説明図である。
【図３】図１に示した硬貨回収選別装置の要部を示す平面説明図である。
【図４】図１に示した硬貨回収選別装置の要部を示す平面説明図である。
【図５】従来技術を示す説明図である。
【図６】従来技術の要部を示す説明図である。
【符号の説明】
１０　硬貨回収機構
１１　従動プーリ
１２　搬送平ベルト
２０　硬貨均しローラ
２１　動力伝達ベルト
３０　硬貨案内手段
４０　硬貨搬送機構
４１　駆動プーリ
４２　従動プーリ
４３　搬送ベルト
４４　押圧プーリ
４５　ばね
４６　回転軸
４７Ａ・４７Ｂ　上流側硬貨検出手段
４８Ａ・４８Ｂ　下流側硬貨検出手段
５０　硬貨選別機構
５１・５２　落下穴
５３　搬送路
５４Ａ・５４Ｂ　落下防止壁
６０Ａ・６０Ｂ　案内シュート
１００　硬貨回収選別装置
Ａ　遊技機
Ｂ　台間玉貸し機
Ｃ　硬貨
【図１】
2004021535.tif 000003
【図２】
2004021535.tif 000004
【図３】
2004021535.tif 000005
【図４】
2004021535.tif 000006
【図５】
2004021535.tif 000007
【図６】
2004021535.tif 000008